(57)【要約】【課題】製造コストの低減化を図り、設計自由度を向上させながら短絡遮断時の絶縁性能を確保する回路遮断器を提供する。【解決手段】モールドケース２を、ケース本体１１と、ケース本体の上部に装着されるカバー１２とで構成し、ケース本体を、下部ケース１３と、下部ケースとの間を遮蔽する底部１４ａを有して下部ケースの上部に装着される中間ケース１４とで構成し、下部ケースの内部空間に接触子部３，５及び消弧装置９が組み込まれ、中間ケースの内部空間に、開閉機構７、過電流引外し装置８及び内装付属装置である付属スイッチ１０が組み込まれている。【選択図】図１
2014099384.tif 000002
【特許請求の範囲】
【請求項１】
モールドケース内に、固定接触子及び可動接触子からなる接触子部と、消弧装置と、前記可動接触子の開閉機構と、過電流引外し装置と、内装付属装置と、を組み込んだ回路遮断器において、
前記モールドケースを、ケース本体と、ケース本体の上部に装着されるカバーとで構成し、
前記ケース本体を、下部ケースと、この下部ケースとの間を遮蔽する底部を有して当該下部ケースの上部に装着される中間ケースとで構成し、
前記下部ケースの内部空間に前記接触子部及び前記消弧装置が組み込まれ、前記中間ケースの内部空間に、前記開閉機構、前記過電流引外し装置及び前記内装付属装置が組み込まれていることを特徴とする回路遮断器。
【請求項２】
前記カバーは、前記過電流引外し装置及び前記開閉機構を覆う上部カバーと、この上部カバーに形成した前記内装付属装置を配置する収納凹部の近傍に回動自在に連結され、開閉動作を行う補助カバーと、を備え、
前記補助カバーの開動作を行うことで、前記内装付属装置を前記収納凹部に配置して前記開閉機構に連結状態で組み込み、或いは取り外し、
前記補助カバーの閉動作を行うことで、前記収納凹部に配置した前記内装付属装置を閉塞することを特徴とする請求項１記載の回路遮断器。
【発明の詳細な説明】
【技術分野】
【０００１】
本発明は、低圧電路に用いられる配線用遮断器や漏電遮断器などの回路遮断器に関する。
【背景技術】
【０００２】
回路遮断器は、主回路の各相に対応する固定接触子と可動接触子からなる接触子部、接触子間に発生するアークを消弧する消弧装置、可動接触子を開閉駆動する開閉機構、開閉機構の引外し機構、及び過電流を検出して引外し機構を作動させる過電流引外し装置を、モールドケースに組み込んで構成されている。
上記構成の回路遮断器は、短絡電流などの過電流を遮断すると、主回路の固定接点及び可動接点の間に発生したアークによるアークガスが開閉機構などの他の機構に回り込み、遮断器内部の絶縁性能が低下するとともに、電流遮断時に発生したアークガスが極間にまたがって流れ込むと、相間の絶縁強度が低下して高い遮断性能を得ることができない。また、アークの熱を受けて蒸発した金属（接点材料など）の溶融物がアークガスに随伴して周辺に飛散し、開閉機構や引外し機構の可動部分に付着して遮断動作機能を損なうことがある。
【０００３】
このようなアーク発生による課題に対して、接触子部と開閉機構などの他の機能部との間を追加部品によってアークガスの侵入を防ぐ構造（第１の対策）や、例えば特許文献１のように、モールドケースを構成する中間ケースに、接触子部及び消弧装置を隔離する極間隔壁と、接触子部と過電流引外し装置とを隔離する中仕切隔壁とを設ける構造（第２の対策）とすることで、他の機能部へのアークガスや金属溶融物の侵入を防ぎ、短絡遮断後の絶縁性能を確保することができる。
【先行技術文献】
【特許文献】
【０００４】
【特許文献１】特許第４６５００２３号
【発明の概要】
【発明が解決しようとする課題】
【０００５】
しかし、第１の対策は、追加部品を使用することで部品点数が増加するので、製造コストの高騰化の面で問題がある。
また、第２の対策は、回路遮断器内部のスペースに複数の隔壁（極間隔壁、中仕切隔壁）を設けることで、開閉機構、引外し機構及び過電流引外し装置の可動スペースが制限され、設計自由度が低下するという問題がある。
そこで、本発明は、製造コストの低減化を図り、設計自由度を向上させながら短絡遮断時の絶縁性能を確保することができるとともに、接触子部とともに内部に搭載された他の機能部に対してアーク発生による影響を最小限に抑制することができる回路遮断器を提供することを目的としている。
【課題を解決するための手段】
【０００６】
上記目的を達成するために、一の実施形態に係る回路遮断器は、モールドケース内に、固定接触子及び可動接触子からなる接触子部と、消弧装置と、前記可動接触子の開閉機構と、過電流引外し装置と、内装付属装置と、を組み込んだ回路遮断器において、前記モールドケースを、ケース本体と、ケース本体の上部に装着されるカバーとで構成し、前記ケース本体を、下部ケースと、この下部ケースとの間を遮蔽する底部を有して当該下部ケースの上部に装着される中間ケースとで構成し、前記下部ケースの内部空間に前記接触子部及び前記消弧装置が組み込まれ、前記中間ケースの内部空間に、前記開閉機構、前記過電流引外し装置及び前記内装付属装置が組み込まれている。
【０００７】
この一の実施形態に係る回路遮断器によると、接触子部を配置した空間と、過電流引外し装置及び開閉機構を配置した空間が、中間ケースにより遮蔽されているので、接触子部を配置した空間で発生したアークガスが過電流引外し装置及び開閉機構側の空間に回り込まない。また、下部ケース上に、過電流引外し装置及び開閉機構を組み込んだ中間ケースを装着するだけでアークガスの侵入を防いでおり、従来装置のような追加部品を必要としない。さらに、中間ケースで遮蔽された下部ケースの空間を制約なく使用することができるので、設計自由度が向上する。
【０００８】
また、一の実施形態に係る回路遮断器は、前記カバーが、前記過電流引外し装置及び前記開閉機構を覆う上部カバーと、この上部カバーに形成した前記内装付属装置を配置する収納凹部の近傍に回動自在に連結され、開閉動作を行う補助カバーと、を備え、前記補助カバーの開動作を行うことで、前記内装付属装置を前記収納凹部に配置して前記開閉機構に連結状態で組み込み、或いは取り外し、前記補助カバーの閉動作を行うことで、前記収納凹部に配置した前記内装付属装置を閉塞するようにした。
【０００９】
この一の実施形態に係る回路遮断器によると、内装付属部品を回路遮断器内部から着脱する場合には、回路遮断器の内部装置に指を触れることなく、上部カバーに連結した補助カバーの開動作を行い、収納凹部に内装付属部品を安全に組み込み、或いは、取り外すことが可能となる。
【発明の効果】
【００１０】
本発明に係る回路遮断器によれば、製造コストの低減化を図り、設計自由度を向上させながら短絡遮断時の絶縁性能を確保することができるとともに、接触子部とともに内部に搭載された他の機能部に対してアーク発生による影響を最小限に抑制することができる。
【図面の簡単な説明】
【００１１】
【図１】本発明に係る回路遮断器の断面図である。
【図２】下部ケースに組み込まれる消弧装置と接触子部を示す図である。
【図３】下部ケース上に装着される中間ケースの形状を示す図である。
【図４】中間ケース上に組み込まれる開閉機構及び過電流引外し装置を示す図である。
【図５】中間ケース上に装着されるカバーの構造を示す図である。
【図６】補助カバーが開動作を行った状態で内装付属装置を装着する状態を示す図である。
【図７】補助カバーが閉動作を行い内装付属装置を閉塞している回路遮断器を示す図である。
【発明を実施するための形態】
【００１２】
以下、本発明を実施するための形態（以下、実施形態という。）を、図面を参照しながら詳細に説明する。
図１に示すように、本実施形態の回路遮断器１は、樹脂モールドで形成したケース２内に、先端に可動接点３ａを設けた可動接触子３と、可動接触子３を回動可能に支持する可動接触子支持部４と、可動接点３ａに接触する固定接点５ａを有し、電源側端子６に接続されている固定接触子５と、可動接触子３を開閉駆動する開閉機構７と、可動接触子３に接続されている負荷側端子板２０と、電源側端子６側に接続されている過電流引外し装置８と、可動接点３ａ及び固定接点５ａの間で発生したアークを消弧する消弧室９と、回路遮断器１のＯＮ・ＯＦＦ・トリップ状態を電気的に表示する補助スイッチや警報スイッチなどの付属スイッチ１０と、が収納されている。
【００１３】
ケース２は、ケース本体１１と、このケース本体１１の上部に装着されるカバー１２とで構成されている。
ケース本体１１は、回路遮断器１の底部を形成する下部ケース１３と、下部ケース１３の上部に装着される中間ケース１４とで構成されている。
カバー１２は、中間ケース１４の上部に装着される上部カバー１５と、上部カバー１５に回動自在に装着されて開閉動作を行う補助カバー１６とで構成されている。
【００１４】
図２に示すように、上部が開口した直方体形状の下部ケース１３の内部には、相間を仕切る複数の隔壁部１３ａが形成されており、これら隔壁部１３ａの間に、各相の消弧室９、可動接触子３、可動接触子支持部４及び固定接触子５が組み込まれている。
図３に示すように、下部ケース１３の上部に装着される中間ケース１４は、下部ケース１３内部に組み込んだ消弧室９、可動接触子３、可動接触子支持部４及び固定接触子５を閉塞する底部１４ａが形成されている。
【００１５】
図４に示すように、下部ケース１３の上部に装着した中間ケース１４に、過電流引外し装置８及び開閉機構７が装着される。この際、過電流引外し装置８は、固定接触子５とネジ８ａによって締結される。開閉機構７は可動接触子３とトグルリンク（不図示）を介して連結されている。
図５に示すように、中間ケース１４に装着した過電流引外し装置８及び開閉機構７を、カバー１２を構成する上部カバー１５で覆う。ここで、上部カバー１５にはポケット状の収納凹部１５ａが形成されているとともに、この収納凹部１５ａの開口部を閉塞する補助カバー１６が、上部カバー１５の上部に回動自在に装着されている。
【００１６】
また、図６に示すように、上部カバー１５の収納凹部１５ａの開口部から、付属スイッチ１０を組み込んで開閉機構７に連結状態とする。
そして、図７に示すように、補助カバー１６を付属スイッチ１０の上部位置まで回動することで、付属スイッチ１０が補助カバー１６で覆われる。
ここで、本発明に係るモールドケースがケース２に対応し、本発明に係る中間ケースの底部が底部１４ａに対応し、本発明に係る接触子部が可動接触子３及び固定接触子５に対応している。
【００１７】
次に、本実施形態の回路遮断器の組立て手順について説明する。
先ず、下部ケース１３内に、消弧室９、可動接触子３、可動接触子支持部４及び固定接触子５を組み込む。
次に、下部ケース１３上に中間ケース１４を装着し、中間ケース１４上に過電流引外し装置８及び開閉機構７を組み込む。これにより、中間ケース１４の底部１４ａにより、可動接触子３及び固定接触子５を配置した空間と、過電流引外し装置８及び開閉機構７を配置した空間が別空間となる。
【００１８】
次に、中間ケース１４上に、補助カバー１６が回動自在に装着されている上部カバー１５を装着する。
次に、上部カバー１５に設けた収納凹部１５ａに付属スイッチ１０を組み込んで開閉機構７に連結状態とし、最後に、補助カバー１６を付属スイッチ１０の上部位置まで回動する（閉動作を行う）ことで、付属スイッチ１０を補助カバー１６で覆う。
【００１９】
上記構成の回路遮断器１において通電電流が過負荷状態となると、過電流引外し装置８の動作により開閉機構７の鎖錠が外され、可動接触子３は固定接触子５から離間する方向（開極方向）に回動動作を行なう。
また、回路遮断器１に短絡電流などの大電流が流れると、可動接触子３及び固定接触子５を通る電流は互いに逆方向になるため、これらの間に働く電磁反発力により可動接触子３が固定接触子５から離間する方向に回動動作を行なう。
【００２０】
これにより、可動接触子３の可動接点３ａ及び固定接触子５の固定接点５ａの間にアークが発生してアーク電圧が高められ、次いで過電流引外し装置８の指令で可動接触子３が開離して短時間で限流遮断が行われる。
可動接点３ａ及び固定接点５ａの間にアークが発生すると、このアークの熱を受けて蒸発した金属（接点材料など）の溶融物がアークガスに随伴して周辺に飛散する。
可動接触子３及び固定接触子５を配置した空間は、過電流引外し装置８及び開閉機構７を配置した空間に対して中間ケース１４の底部１４ａにより遮蔽されているので、可動接触子３及び固定接触子５側の空間で発生したアークガスが過電流引外し装置８及び開閉機構７側の空間に回り込まない。
【００２１】
次に、本実施形態の回路遮断器１の効果について説明する。
本実施形態によると、可動接触子３及び固定接触子５を配置した空間と、過電流引外し装置８及び開閉機構７を配置した空間が、中間ケース１４により遮蔽されているので、可動接触子３及び固定接触子５側の空間で発生したアークガスが過電流引外し装置８及び開閉機構７側の空間に回り込まない。したがって、回路遮断器１内部の絶縁性能を向上させることができる。
【００２２】
また、本実施形態の回路遮断器１は、下部ケース１３上に、過電流引外し装置８及び開閉機構７を組み込む中間ケース１４を装着するだけでアークガスの侵入を防いでおり、従来装置のような追加部品を必要としないので、部品点数の減少により製造コストの低減化を図ることができる。
また、可動接触子３及び固定接触子５を配置した空間にはアークガスを遮蔽する隔壁が存在しておらず、中間ケース１４で遮蔽された下部ケース１３の空間を制約なく使用することができるので、設計自由度を向上させることができる。
【００２３】
さらに、回路遮断器１に内装の付属部品である付属スイッチ１０を着脱する場合には、回路遮断器１の内部装置（可動接触子３、固定接触子５、開閉機構７、過電流引外し装置８、消弧室９）に指を触れることなく、上部カバー１５に回動自在に装着されている補助カバーの開動作を行い（図５及び図６の状態）、収納凹部１５ａに付属スイッチ１０を安全に組み込み、或いは、取り外すことができる。
なお、内装の付属装置は、付属スイッチ１０に限ることはなく、電圧引外し装置などの装置であってもよい。
【符号の説明】
【００２４】
１…回路遮断器、２…ケース、３…可動接触子、３ａ…可動接点、４…可動接触子支持部、５…固定接触子、５ａ…固定接点、６…電源側端子、７…開閉機構、８…過電流引外し装置、８ａ…ネジ、９…消弧室、１０…付属スイッチ、１１…ケース本体、１２…カバー、１３…下部ケース、１３ａ…隔壁部、１４…中間ケース、１４ａ…底部、１５…上部カバー、１５ａ…収納凹部、１６…補助カバー、２０…負荷側端子板
【図１】
2014099384.tif 000003
【図２】
2014099384.tif 000004
【図３】
2014099384.tif 000005
【図４】
2014099384.tif 000006
【図５】
2014099384.tif 000007
【図６】
2014099384.tif 000008
【図７】
2014099384.tif 000009